(57)【要約】【課題】ノイズ信号を低減する際の音声信号への影響を抑制したカメラ本体を提供する。【解決手段】可動のレンズを含むレンズ装置２を装着可能なカメラ本体３またはレンズ装置２とカメラ本体３とを備えたカメラシステムであって、音波を収集して電気信号に変換する音波収集手段２０と、電気信号に対して所定の処理を行い、所定の処理を加えた記録信号を出力する信号処理部２１と、レンズ装置２との通信に基づいて、所定の処理の内容を設定する設定手段１７と、を備える。【選択図】図１
2017041768.tif 000002
【特許請求の範囲】
【請求項１】
可動のレンズを含むレンズ装置を装着可能なカメラ本体であって、
音波を収集して電気信号に変換する音波収集手段と、
前記電気信号に対して所定の処理を行い、前記所定の処理を加えた記録信号を出力する信号処理部と、
前記レンズ装置との通信に基づいて、前記所定の処理の内容を設定する設定手段と、
を備えることを特徴とするカメラ本体。
【請求項２】
前記記録信号に基づく音圧の単位時間当たりの変動量は、前記電気信号に基づく音圧の単位時間当たりの変動量よりも小さい、ことを特徴とする請求項１に記載のカメラ本体。
【請求項３】
前記記録信号に基づく音圧の時間分布の標準偏差が、前記電気信号に基づく音圧の時間分布の標準偏差よりも小さい、ことを特徴とする請求項１又は２に記載のカメラ本体。
【請求項４】
前記記録信号に基づく音圧の周波数スペクトルは、前記電気信号に基づく音圧の周波数スペクトルよりも平坦に近い、ことを特徴とする請求項１に記載のカメラ本体。
【請求項５】
前記記録信号を記録する記録手段を備える、ことを特徴とする請求項１乃至４のうちいずれか１項に記載のカメラ本体。
【請求項６】
前記レンズ装置によって形成される被写体像を受光する撮像素子を備え、
前記記録手段は、前記記録信号と共に、前記撮像素子によって撮像された映像情報に対応する映像信号を記録する、ことを特徴とする請求項５に記載のカメラ本体。
【請求項７】
前記設定手段は、前記レンズの駆動音に関する駆動音情報に基づいて前記内容を設定することを特徴とする請求項１乃至６のうちいずれか１項に記載のカメラ本体。
【請求項８】
前記設定手段は、前記駆動音情報と、前記音波収集手段の前記レンズの駆動音に対する感度とに基づいて前記内容を設定することを特徴とする請求項７に記載のカメラ本体。
【請求項９】
前記駆動音情報は、前記レンズ装置および前記カメラ本体のうちいずれか一方に備えられた記憶部に記憶され、前記感度は、前記記憶部または前記レンズ装置および前記カメラ本体のうちいずれか他方に備えられた記憶部に記憶されている、ことを特徴とする請求項８に記載のカメラ本体。
【請求項１０】
前記内容は、２０Ｈｚから２００００Ｈｚの範囲で信号を加算することを含むことを特徴とする請求項１乃至９のうちいずれか１項に記載のカメラ本体。
【請求項１１】
前記信号の周波数スペクトルは、周波数に反比例することを特徴とする請求項１０に記載のカメラ本体。
【請求項１２】
前記信号の周波数スペクトルは、周波数によらず一定であることを特徴とする請求項１０に記載のカメラ本体。
【請求項１３】
カメラ本体と、前記カメラ本体に対して装着可能であり、前記カメラ本体と通信可能な、可動のレンズを含むレンズ装置と、を備えたカメラシステムであって、
前記カメラ本体は、
音波を収集して電気信号に変換する音波収集手段と、
前記電気信号に対して所定の処理を行い、前記所定の処理を加えた記録信号を出力する信号処理部と、
前記レンズ装置との通信に基づいて、前記所定の処理の内容を設定する設定手段と、
を備えることを特徴とするカメラシステム。
【発明の詳細な説明】
【技術分野】
【０００１】
本発明は、カメラ本体及びカメラシステムに関する。
【背景技術】
【０００２】
デジタルカメラには、静止画撮影だけでなく音声記録を伴った動画撮影も可能なものがある。音声は、カメラに備えられたマイクロフォンにより集音された後、音声信号へ変換され、音声信号として記録される。動画撮影の際、フォーカス、ズーム、絞り等のレンズ駆動音がノイズ信号として記録対象の音声信号と同時に記録されてしまい、記録された音声の品質が損なわれるという問題がある。
【０００３】
この問題に対し、レンズの種類に対応したノイズ信号を予め記憶しておき、それに基づいて、ノイズ信号を含んだ音声信号からノイズ信号を低減させる技術が知られている。例えば、特許文献１は、予め記憶しておいたノイズ信号から求めたノイズ信号と逆位相の信号を音声信号に演算してノイズ信号を低減させる撮像装置を開示している。また、特許文献２は、マイクロフォンが集音するノイズ信号を低減するように、ノイズ信号の周波数特性に基づいて、マイクロフォンの集音感度の周波数特性を調整するカメラを開示している。
【先行技術文献】
【特許文献】
【０００４】
【特許文献１】特開２０１２−９９７８号公報
【特許文献２】特開平４−２３３８７３号公報
【発明の概要】
【発明が解決しようとする課題】
【０００５】
しかしながら、レンズ駆動音（ノイズ信号）の周波数特性と音声信号の周波数特性とは一致することがあり、特許文献１の撮像装置では、演算に伴ってノイズ信号の周波数特性と一致した音声信号が変化してしまうことがある。また、特許文献２のカメラでは、ノイズ信号に対する感度を低下させることで音声信号に対する感度まで低下してしまう可能性がある。
【０００６】
本発明は、例えば、ノイズ信号を低減する際の音声信号への影響を抑制したカメラ本体を提供することを目的とする。
【課題を解決するための手段】
【０００７】
上記課題を解決するために、本発明は、可動のレンズを含むレンズ装置を装着可能なカメラ本体であって、音波を収集して電気信号に変換する音波収集手段と、電気信号に対して所定の処理を行い、所定の処理を加えた記録信号を出力する信号処理部と、レンズ装置との通信に基づいて、所定の処理の内容を設定する設定手段と、を備えることを特徴とする。
【発明の効果】
【０００８】
本発明によれば、例えば、ノイズ信号を低減する際の音声信号への影響を抑制したカメラ本体を提供することができる。
【図面の簡単な説明】
【０００９】
【図１】カメラシステムの概略ブロック図を示す図である。
【図２】音波データに加算する加算信号の大きさを設定する処理を示すフローチャートである。
【図３】音圧レベルが周波数に反比例する加算信号（ピンクノイズ）を示す図である。
【図４】音圧レベルが周波数に依らず一定となる加算信号（ホワイトノイズ）を示す図である。
【図５】音波データに加算信号を加算する処理を示すフローチャートである。
【図６】加算信号の時間波形を示す図である。
【図７】加算信号を加算する前のカメラ本体に記録された音波の時間波形を示す図である。
【図８】加算信号を加算した後のカメラ本体に記録された音波の時間波形を示す図である。
【発明を実施するための形態】
【００１０】
以下に、本発明を実施するための形態について図面などを参照して説明する。
【００１１】
図１は本発明の実施例におけるカメラシステム１のブロック図である。カメラシステム１は、交換レンズ（レンズ装置）２とカメラボディ（カメラ本体）とを備える。交換レンズ２は、レンズマウント４を介して、カメラボディ３に設けられたボディマウント５に着脱可能になっている。交換レンズ２及びカメラボディ３は、それぞれカメラボディ３に交換レンズ２が取り付けられた際に相互に通信可能となるようにレンズ側通信端子６とカメラボディ側通信端子７を備える。交換レンズ２とカメラボディ３は、レンズ側通信端子６とカメラボディ側通信端子７を介して、それぞれの動作状態、設定状態、各種情報の要求命令（送信要求）および駆動命令等の情報をやり取りする。さらに、交換レンズ２は、レンズ側通信端子６とボディ側通信端子７を介してカメラボディ３から電力供給を受ける。
【００１２】
交換レンズ２は、光学系８とレンズＭＰＵ（Ｍｉｃｒｏ−Ｐｒｏｃｅｓｓｉｎｇ  Ｕｎｉｔ）９とレンズ記憶部１０とを備える。光学系８は、光量を調整する絞り１２と焦点調節を行うフォーカスレンズ１３とを備える。レンズＭＰＵ９は、交換レンズ２内の構成要素を制御する。レンズ記憶部１０は、交換レンズ２の駆動音の大きさを示す数値である駆動音レベル（駆動音情報）１１を記憶している。絞り１２とフォーカスレンズ１３は、それぞれレンズＭＰＵ９からの指示を受けた絞りモータ１４およびフォーカスモータ（レンズ駆動機構）１５を介し不図示の動力伝達機構により可動である。なお、交換レンズ２はユーザーの手振れを検知し補正する手振れ補正機構や焦点距離を可変にするズーム機構など様々な構成要素を備えるが説明の簡単化のため省略する。
【００１３】
カメラボディ３は、交換レンズ２によって形成される被写体像を受光（撮像）する撮像素子１６と、カメラボディ３内の構成要素を制御する制御手段としてのカメラＭＰＵ１７と、音波収集手段であるマイク２０とを備える。撮像素子１６によって撮像された映像情報に対応する映像信号は画像処理部１８に出力され、所定の処理が施された後、記録部１９に出力される。マイク２０に入力された音波はアンプ（不図示）によって増幅され、Ａ／Ｄ変換部（不図示）によってデジタルデータである音波データ（電気信号）に変換された後、信号処理部２１に出力される。信号処理部２１は、ノイズ低減手段２２によって音波データに加算信号を加算し、記録信号として、記録部１９に出力される。この時、記録信号は、カメラＭＰＵ１７の制御により前述した映像信号と同期され動画像データとして記録部１９に記録される。カメラボディ３はカメラ記憶部２３を備えており、マイク２０によるレンズ駆動音の拾い易さ（感度）を示す拾音レベル２４を記憶している。なお、カメラボディ３は電源や露光時間を制限するためのシャッター機構、使用者からの操作を受け付けるユーザーインターフェースである操作部材など、様々な構成要素を備えるが説明の簡単化のため省略する。
【００１４】
次に図２を用いて交換レンズ毎に音波データに加算する加算信号の大きさを設定する処理について説明する。交換レンズ２が装着されカメラボディ３の電源が入れられると、交換レンズ２とカメラボディ３が通信を開始する（Ｓ１１）。カメラＭＰＵ１７は交換レンズ２のレンズ記憶部１０に記憶されている駆動音情報１１を読み出す（Ｓ１２）。駆動音情報１１は、交換レンズ２の種類、動作およびその組み合わせにより異なる。カメラＭＰＵ１７は、音波データに対する所定の処理の内容（加算信号）を設定する設定手段として働く。すなわち、読み出した駆動音情報１１とカメラ記憶部２３に記憶している拾音レベルとを乗算し、音波データに加算する加算信号の大きさ決定する加算信号レベルを算出する（Ｓ１３）。以上で録画準備を完了する。
【００１５】
加算信号の種類を図３および図４に示す。図３は、音圧レベル（周波数スペクトル）が周波数に反比例する加算信号（ピンクノイズ）であり、図４は、音圧レベル（周波数スペクトル）が周波数に依らず一定となる加算信号（ホワイトノイズ）である。加算信号の大きさは、所定の周波数における音圧レベルを上記で算出した加算信号レベルに設定することで決定される。本実施例では、１０００Ｈｚにおける音圧レベルをカメラＭＰＵ１７で算出した加算信号レベルに設定する。カメラＭＰＵ１７は、加算信号の種類も設定する。加算信号の周波数帯域は、人間の可聴域である２０Ｈｚから２００００Ｈｚとする。
【００１６】
次に図５を用いてマイクから入力された音波データにノイズ低減手段２２を用いて加算信号を加算する処理について説明する。ユーザーが録画を開始するとマイク２０から音波データが信号処理部２１に入力される（Ｓ２１）。信号処理部２１において、増幅処理、Ａ／Ｄ変換が行われ音波データが生成される（Ｓ２２）。生成された音波データに対してＳ１３で設定した加算信号レベルの加算信号を加算する（Ｓ２３）。ここで、図６は音波データに加算する加算信号の時間波形であり、図６で示すように音圧の時間的な変動の幅が少ない音であることが望ましい。その後、音波データに加算処理が行われた後、記録部１９に音波データが記録され（Ｓ２４）、ユーザーからの指示のもと録画を終了する。
【００１７】
図７に加算処理を行わない電気信号に基づく音圧のレンズ作動時の時間波形の例を、図８に加算処理を行った記録信号に基づく音圧のレンズ作動時の時間波形の例を示す。ユーザーは、単位時間当たりの音圧の変動量が大きいと、その音を騒音として認識する。この音圧の変動量は、音圧の時間分布の標準偏差や、音圧の周波数スペクトルとして表現することもできる。この場合、ユーザーは、音圧の時間分布の標準偏差が小さいとき、または、音圧の周波数スペクトルが平坦なとき、その音を騒音として認識しづらくなる。図７で示すように加算処理を行わない場合の音波は音圧の時間的な変動の幅（単位時間当たりの変動量）が大きい。一方、図８で示すように、加算処理を行った場合は音圧の単位時間当たりの変動量が小さくなっている。すなわち、ユーザーは、レンズ作動音を騒音として認識し難い。さらに、加算処理によって、元の音波データに含まれる音声信号は、音圧レベルは変化しても、その波形の形状への影響は少ない。つまり、加算処理によるユーザーが認識する音声への影響は少ない。
【００１８】
以上のように、本実施形態によれば、レンズの駆動音が被写体の音声信号と同時に記録されてしまっても、音声信号に影響を与えずにレンズの駆動音がユーザーに騒音として認識され難くすることが可能なカメラ本体を提供することができる。
【００１９】
本実施形態では、交換レンズを用いたが、カメラ本体に装着可能であればレンズは交換レンズに限らない。また、駆動音情報１１や拾音レベル２４を記憶する記憶部が設けられる場所は、交換レンズ２およびカメラ本体３のいずれでもよい。すなわち、交換レンズ２およびカメラ本体３のいずれか一方に作動音レベル１１および拾音レベル２４を記憶する記憶部が設けられていてもよい。この場合は、他方に記憶部を設ける必要が無くなる。交換レンズ２およびカメラ本体３のいずれか一方に作動音レベル１１を記憶する記憶部が設けられ、他方に拾音レベル２４を記憶する記憶部が設けられていてもよい。
【００２０】
以上、本発明の好ましい実施形態について説明したが、本発明は、これらの実施形態に限定されず、その要旨の範囲内で種々の変形および変更が可能である。
【符号の説明】
【００２１】
１    カメラシステム
２    交換レンズ
３    カメラボディ
２０  マイク（音波収集手段）
２１  信号処理部
２２  ノイズ低減手段
１０  レンズ記憶部
２３  カメラ記憶部
【図１】
2017041768.tif 000003
【図２】
2017041768.tif 000004
【図３】
2017041768.tif 000005
【図４】
2017041768.tif 000006
【図５】
2017041768.tif 000007
【図６】
2017041768.tif 000008
【図７】
2017041768.tif 000009
【図８】
2017041768.tif 000010